(57)【特許請求の範囲】
【請求項１】
電力分配ユニット用のコンセントモジュールであって、
電力分配ユニット内に取付け可能な円筒状のコンセント筺体ハウジングと、
前記コンセント筺体ハウジング内に回転可能に取り付けられたコンセント軸ハウジングであり、複数の出力電力接続部を備えるコンセント軸ハウジングと、
前記出力電力接続部のうちの１つまたは複数にそれぞれ結合された電源コードを介して前記コンセント軸ハウジングに結合された複数のコンセントであり、前記複数のコンセントのそれぞれが前記コンセント筺体ハウジングに対して回転可能である、複数のコンセントと、
を備えるコンセントモジュール。
【請求項２】
前記コンセント軸ハウジングが、各コンセントからの前記電源コードの一部を受容する空洞をさらに備える、請求項１に記載のコンセントモジュール。
【請求項３】
各コンセントの前記電源コードの一部が、前記コンセントが前記コンセント軸ハウジング内に引き込まれるときに前記空洞内に挿入され、前記コンセントが前記コンセント軸ハウジングから延長されるときに前記空洞から引き出されうる、請求項２に記載のコンセントモジュール。
【請求項４】
前記コンセント軸ハウジングが前記複数のコンセントの前記電源コードの張力を緩和する、請求項１に記載のコンセントモジュール。
【請求項５】
各コンセントが、前記コンセント筺体ハウジングに対して独立して回転可能である、請求項１に記載のコンセントモジュール。
【発明の詳細な説明】
【技術分野】
【０００１】
（関連出願の相互参照）
[0001]本出願は、２０１２年１１月６日に出願された「高密度コンセント電力分配ユニット（ＨＩＧＨ  ＯＵＴＬＥＴ  ＤＥＮＳＩＴＹ  ＰＯＷＥＲ  ＤＩＳＴＲＩＢＵＴＩＯＮ  ＵＮＩＴ）」という名称の米国仮特許出願第６１／７２３，０６５号明細書の優先権を主張するものであり、本開示の全体が参照により本明細書に組み込まれる。
【０００２】
[0002]本出願は電力分配ユニットに関し、より詳細には、高密度の電力出力部を有する電力分配ユニットに関する。
【背景技術】
【０００３】
[0003]従来の電力分配ユニット（ＰＤＵ）は、電源から電力を受け取り、その電力を１つまたは複数の別個の電子機器に分配する複数の電気コンセント（レセプタクル（ｒｅｃｅｐｔａｃｌｅ）とも呼ばれる）のアセンブリである。この種のＰＤＵアセンブリはそれぞれ、電源から電力を受け取る電力入力部と、１つまたは複数の電子機器に電力を供給するために使用されうる電源コンセントとを有する。ＰＤＵは、例えば電子機器ラック内や電子機器ラック上などの多くの用途および設定に使用される。１つまたは複数のＰＤＵが、普通は機器ラック（または他のキャビネット）内に配置され、ＰＤＵハウジングに外付けされうるかまたはＰＤＵハウジング内に収容されうる環境モニタ、温湿度センサ、ヒューズモジュール、通信モジュールなどの、ＰＤＵに接続される他のデバイスとともに設置されてもよい。機器ラックまたはキャビネット内に実装可能なＰＤＵは、時にはキャビネットＰＤＵ、または略して「ＣＤＵ」と称されることがある。
【０００４】
[0004]ＰＤＵの一般的な利用法は、データセンタやサーバファームなどのコンピューティング施設内の電気機器に動作電力を供給することである。このようなコンピューティング施設は、キャビネットもしくはラックと称されることもある矩形ハウジングもしくは箱形ハウジングおよび機器を実装するための関連構成要素を備える電子機器ラックと、関連する通信ケーブルと、関連する電力分配ケーブルとを含んでいてもよい。電子機器は、様々な電子デバイス（例えば、ネットワークスイッチ、ルータ、サーバなど）がラック内に垂直方向に順に重ねて整列されるように、かかるラック内に実装されてもよい。１つまたは複数のＰＤＵが電子機器に電力を供給するために使用されてもよい。複数のラックが並置して配向されてもよく、各ラックは、多数の電子構成要素を収容するとともに、ラックによって占められる領域の中にも外にも配置される相当量の関連構成要素の配線を有する。かかるラックは一般に、企業ネットワークと称される企業向けのコンピューティングネットワークに使用される機器を支持する。
【０００５】
[0005]既述のように、多くの機器ラックがデータセンタまたはサーバファーム内に配置されることがあり、各機器ラックは１つまたは複数の関連ＰＤＵを有する。様々な異なる機器ラックが、ラック内の機器の異なる位置および異なる密度を含む、異なる構成を有していてもよい。１つまたは複数のそのようなデータセンタは、企業向けのデータ通信ハブとして機能してもよい。容易に認識されるように、機器ラック内の空間は貴重であり、任意の所与の体積に対するコンピューティング資源を最大化することが望ましい。
【発明の概要】
【発明が解決しようとする課題】
【０００６】
[0006]コンピューティング機器の展開は、より高い電気効率およびより小さい体積に向かっており、不確かな数の電源コンセントを必要とする、ラック内のコンピューティング機器がより高密度になる。このため、ＰＤＵ内のコンセントの密度を最大にすることは商業的に有利である。現在市販のＣ１３レセプタクルおよびＣ１９レセプタクルは、ＰＤＵ内のコンセント密度を最大化するように設計されてはいない。
【課題を解決するための手段】
【０００７】
[0007]プラグ保持機構を設けることもあるＰＤＵ内のコンセントの比較的高密度の構成を可能にする装置およびデバイスが本開示に提供される。いくつかの態様では、電力分配ユニットには、ＰＤＵの前面に対する凹面を有する１つまたは複数のコンセントバンク（ｏｕｔｌｅｔ  ｂａｎｋｓ）が設けられてもよい。いくつかの実施形態での複数のコンセントは、凹面から離れる方向に延びるが、ＰＤＵの前面の面から突出しない。コンセントは、いくつかの実施形態では、測定機器および分配機器を収容するＰＤＵの内部領域に対して気密でよいトレイに組み込まれてもよく、したがって、能動冷却解決策が通常は気密でない従来のコンセントの従来の使用法と比べてより容易に採用されることが可能になる。ＰＤＵの前面は、凹面の一部の上に内方に延びるリップを含んでいてもよく、コンセントに結合されうるプラグのアームから延びるプラグ保持タブと係合するようになされる。この種のアセンブリにより、電力分配ユニットが機器ラックに収容され入力電源に結合され、ラック内に配置された機器に柔軟かつ便利な方法で結合されることが可能になる。機器ラックのクリアランスおよび寸法が、設備内の空間使用率、効率、および／または密度を上げるように修正されてもよい。
【０００８】
[0008]いくつかの態様では、ＰＤＵ内のコンセントバンクのうちの１つまたは複数が、フレキシブルコードに結合されるとともに、ＰＤＵの前面から離れる方向に延びる複数のコンセントを含んでいてもよい。各コンセントに結合されるフレキシブルコードは、ＰＤＵの前面に対する凹面を貫通してもよい。フレキシブルコードは、ＰＤＵハウジングの内側部分で電源に結合されうる。ＰＤＵハウジングの内側部分は、フレキシブルコートの一部を受容する空間を含んでいてもよく、それによって、関連コンセントをＰＤＵハウジングの前面から離れる方向に延長し、コンセントをＰＤＵハウジングの前面の方へ引っ込める能力を与えてもよい。この種のアセンブリにより、電力分配ユニットが機器ラックに収容され入力電源に結合され、ラック内に配置された機器に柔軟かつ便利な方法で結合されることが可能になる。ＰＤＵから延びるフレキシブルコードを有すると、ＰＤＵの長手方向に沿ってコンセントを均一の間隔で配置する能力を与え、このことは、コンピューティング機器から来るすべての相互接続コードを同じ長さにすることができるという点で望ましい。機器ラックのクリアランスおよび寸法が、設備内の空間使用率、効率、および／または密度を上げるように修正されてもよい。
【０００９】
[0009]他の態様では、ＰＤＵ内のコンセントバンクのうちの１つまたは複数が、ＰＤＵハウジングに対して回転可能に結合された複数のコンセントを含んでいてもよい。コンセントバンクは、各コンセントに結合されたコードを受容するとともに、ＰＤＵハウジングに対するコンセントの回転を可能にするコンセント軸ハウジングを含んでいてもよい。コンセント筺体ハウジングがコンセント軸ハウジングに結合され、それぞれのコンセントバンクをＰＤＵハウジングに結合させる。各コンセントに関連するコードは、ＰＤＵハウジングの内側部分で電源に結合されうる。ＰＤＵハウジングの内側部分は、コードの一部を受容する空間を含んでいてもよく、それによって、コンセントをコンセント筺体ハウジングに対して回転させる能力を与えるのに加えて、関連コンセントをコンセント筺体ハウジングから離れる方向に延長するとともに、コンセントをコンセント筺体ハウジングの方へ引っ込める能力を与える。この種のアセンブリにより、電力分配ユニットが機器ラックに収容され入力電源に結合され、ラック内に配置された機器に柔軟かつ便利な方法で結合されることが可能になる。この種のアセンブリは、モジュール構成されたコンパクト設計に適していて、迅速な高度に可変の構成を実現することが可能になる。機器ラックのクリアランスおよび寸法が、設備内の空間使用率、効率、および／または密度を高めるように変更されてもよい。
【００１０】
[0010]上記は、続く詳細な説明がよりよく理解されうるようにするために、本開示による例の特徴および技術的優位性をかなり広く概説してきた。追加の特徴および利点について以下で説明する。開示される概念および特定の例は、本開示の同じ目的を実施するための他の構造を変更または指定する基礎として容易に利用されうる。そのような同等の構造は、添付の特許請求の範囲の精神および範囲から逸脱しない。本明細書に開示される概念に特有であると考えられる特徴は、その特徴の構成と実施方法の両方に関して、関連する利点とともに、添付図に関連して検討されたときに以下の説明からよりよく理解されるであろう。各図は、例示および説明だけの目的で提供され、特許請求の範囲の限度の定義として提供されるものではない。
【００１１】
[0011]本発明の本質および利点のさらなる理解は下記図面を参照することによって達成されうる。添付の図では、類似の構成要素または特徴は同じ参照ラベルを有することがある。
【図面の簡単な説明】
【００１２】
【図１】[0012]図１は、種々の実施形態による電力分配ユニットの説明図である。
【００１３】
【図２】[0013]図２は、いくつかの実施形態のコンセントバンクを示す図である。
【００１４】
【図３】[0014]図３は、種々の実施形態によるロッキングプラグを示す図である。
【００１５】
【図４】[0015]図４は、種々の実施形態によるコンセントバンク、およびコンセントバンクに結合された関連ロッキングプラグを示す図である。
【００１６】
【図５】[0016]図５は、別の実施形態のコンセントバンクを示す図である。
【００１７】
【図６】[0017]図６は、種々の実施形態による引込み式コンセントアセンブリを有するコンセントバンクを示す図である。
【００１８】
【図７】[0018]図７は、種々の実施形態による回転式コンセントを有する電力分配ユニットを示す図である。
【００１９】
【図８】[0019]図８は、図７に描かれているＰＤＵの一部を示す図である。
【００２０】
【図９】[0020]図９は、種々の実施形態による回転式コンセントを有するコンセントバンクアセンブリを示す図である。
【発明を実施するための形態】
【００２１】
[0021]この説明は、例を提供するものであり、本発明の範囲、適用性または構成を限定するものではない。それどころか、次の説明は、当業者に本発明の諸実施形態を実施するための権能付与的記載を提供するであろう。各要素の機能および配置構成の様々な変更がなされてもよい。
【００２２】
[0022]したがって、種々の実施形態は、必要に応じて種々の手順または構成要素を省略、置換、または追加してもよい。例えば、ある実施形態に関して説明される態様および要素は、他の種々の実施形態で組み合わされてもよい。下記のシステム、デバイス、および構成要素は、個々にまたは集合的により大きなシステムの構成要素でもよく、他の手順が、それらの構成要素の適用に優先しうるか、またはその他の方法でそれらの構成要素の適用を修正しうることも理解されるべきである。
【００２３】
[0023]下記の特許および特許出願は、参照によりそれらの特許および特許出願全体が本明細書に組み込まれる。２００６年５月９日に発行された「垂直実装の電力分配プラグストリップ（Ｖｅｒｔｉｃａｌ−Ｍｏｕｎｔ  Ｅｌｅｃｔｒｉｃａｌ  Ｐｏｗｅｒ  Ｄｉｓｔｒｉｂｕｔｉｏｎ  Ｐｌｕｇｓｔｒｉｐ）」という名称の米国特許第７，０４３，５４３号明細書、２０１１年８月２日に発行された「モジュール式構造およびアセンブリを含む電力分配ユニット、製作方法および使用方法（Ｐｏｗｅｒ  Ｄｉｓｔｒｉｂｕｔｉｏｎ  Ｕｎｉｔ  Ａｎｄ  Ｍｅｔｈｏｄｓ  Ｏｆ  Ｍａｋｉｎｇ  Ａｎｄ  Ｕｓｅ  Ｉｎｃｌｕｄｉｎｇ  Ｍｏｄｕｌａｒ  Ｃｏｎｓｔｒｕｃｔｉｏｎ  Ａｎｄ  Ａｓｓｅｍｂｌｉｅｓ）」という名称の米国特許第７，９９０，６８９号明細書、２０１３年７月２３日に発行された「電力の分配、管理、および監視システム（Ｐｏｗｅｒ  Ｄｉｓｔｒｉｂｕｔｉｏｎ  Ｕｎｉｔ，ａｎｄ  Ｍｏｎｉｔｏｒｉｎｇ  Ｓｙｓｔｅｍｓ）」という名称の米国特許第８，４９４，６６１号明細書、２０１２年１１月２７日に発行された「電力分配ユニットでの電力関連パラメータの監視（Ｍｏｎｉｔｏｒｉｎｇ  Ｐｏｗｅｒ−Ｒｅｌａｔｅｄ  Ｐａｒａｍｅｔｅｒｓ  ｉｎ  ａ  Ｐｏｗｅｒ  Ｄｉｓｔｒｉｂｕｔｉｏｎ  Ｕｎｉｔ）」という名称の米国特許第８，３２１，１６３号明細書、および、２０１３年１１月１９日に発行された「複数の入力電力を隣り合う出力部に分配する方法および装置（Ｍｅｔｈｏｄ  ａｎｄ  Ａｐｐａｒａｔｕｓ  ｆｏｒ  Ｍｕｌｔｉｐｌｅ  Ｉｎｐｕｔ  Ｐｏｗｅｒ  Ｄｉｓｔｒｉｂｕｔｉｏｎ  ｔｏ  Ａｄｊａｃｅｎｔ  Ｏｕｔｐｕｔｓ）」という名称の米国特許第８，５８７，９５０号明細書。
【００２４】
[0024]例えば電気機器ラック内に配置された機器に電力を効率的かつ柔軟に分配することができる装置およびデバイスが提供される。従来、ＰＤＵは、コンセントコア（ｏｕｔｌｅｔ  ｃｏｒｅ）の周囲に外装を含むコンセントを有する。本開示の諸態様は、電力分配ユニット内に、かかる外装が除去されたコンセントを設ける。典型的には例えばＣ１３レセプタクルまたはＣ１９レセプタクルに含まれるような外装を除去することにより、電源レセプタクルのコア要素が残り、レセプタクルの可能な間隔を縮小することができ、したがってレセプタクル密度を最大にすることができる。このようなコアレセプタクルは、種々の実施形態に従って、ＰＣＢ（プリント回路板）もしくは金属薄板上に取り付けられるか、マルチレセプタクル（連動）モジュールに成形されるか、またはフレキシブルコードの端部に取り付けられて、かかるＰＤＵの構成および製造の自由度を提供することができる。
【００２５】
[0025]図１は、本開示の様々な特徴を含む一実施形態のＰＤＵ１００の説明図である。ＰＤＵ１００は、ＰＤＵハウジング１０５およびハウジング１０５を貫通する電力入力部１１０を含み、外部電源に接続されうる。限定するものではないが、この実施形態の電力入力部は、２０１２年７月２６日に出願された、参照によりその全体が本明細書に組み込まれる同時係属の特許出願第６１／６７５，９２１号明細書に記述されているようなスイベル入力コードアセンブリである。この実施形態によるＰＤＵ１００は、機器ラック内に垂直方向に取付け可能なハウジング１０５を含むが、水平方向に取付け可能なハウジングなどの他の形状因子が使用されうることが理解されよう。複数のコンセントバンク１１５がハウジング１０５内に配置され、ハウジング１０５の前面の開口からアクセス可能である。コンセントバンク１１５は以下により詳細に説明される。図１のＰＤＵ１００は、１つまたは複数の関連コンセントバンク１１５を過電流保護する複数の回路遮断器１２０を含む。ＰＤＵ１００は、ローカルコンピュータ、ローカルコンピュータネットワーク、および／またはリモートコンピュータネットワークのうちの１つまたは複数と結合可能でありうる通信モジュール１２５も含む。ディスプレイ部１３０が、入力部および／またはコンセントのうちの１つまたは複数を通じて供給されている電流量などの、ＰＤＵ１００の電流運転パラメータに関連する情報のローカルディスプレイを提供するために使用されうる。
【００２６】
[0026]次に図２を参照して、一実施形態のコンセントバンク１１５について論じる。コンセントバンク１１５は、ＰＤＵハウジング１０５の前面２００の開口からアクセス可能である。コンセントバンク１１５は、ハウジング１０５の内側部分に配置された凹面２０５を含み、凹面２０５に結合された複数の電源コンセントを有する。この実施形態では、２つのＣ１９タイプのコネクタ２１０および８つのＣ１３タイプのコネクタ２１５がコンセントバンク１１５に設けられる。複数のコンセント２１０および２１５は、関連外装なしのコンセントコアだけを含む。いくつかの実施形態によるコンセントバンク１１５は、機器ラック内に取り付けられうる資産に電力を供給するインテリジェント電力モジュールの一部でよい。かかる機器ラックはよく知られており、データセンタの運転に使用される複数の個々の資産を含むことが多い。周知のように、多くの機器ラックがデータセンタ内に含められてもよく、種々の実施形態では、各機器ラック内の各資産が、１つまたは複数の関連インテリジェント電力モジュールを通じて電力使用量について監視されてもよい。いくつかの実施形態での凹面２０５は、電源コンセントが取り付けられる対象のプリント回路板の表面を含む。凹面２０５は、いくつかの実施形態では、実質的に気密の内部を設けるためにハウジング１０５の内部を密封する、コンセントを取り付けるためのトレイを形成してもよい。例えば、電源コンセントは、ハウジング１０５の外側とハウジング１０５の内部にある構成要素との間にシールを形成するために使用されるプリント回路板に取り付けられてもよい。この種のシールは、例えば、プリント回路板とハウジング１０５の両側面１４５の内面との間の摩擦嵌合によって、シーラントによって、かつ／またはハウジングとプリント回路板との間にシールを設けるガスケットによって設けられてもよい。ハウジング１０５の内部は、例えば電力測定構成要素および電力分配構成要素を含んでいてもよく、能動的に冷却されてもよい。
【００２７】
[0027]この実施形態、および上記のＩＥＣタイプのコンセントを有するものとして本明細書に記載されている他の実施形態は例示的なものにすぎず、他の様々なタイプのコンセントのいずれも代替的に使用されうることが理解されよう。例えば、「コンセント」は、ＮＥＭＡタイプのコンセント（例えば、ＮＥＭＡ  ５−１５Ｒ、ＮＥＭＡ  ６−２０Ｒ、ＮＥＭＡ  ６−３０ＲまたはＮＥＭＡ  ６−５０Ｒ）あるいは種々のＩＥＣタイプのいずれか（例えば、ＩＥＣ  Ｃ１３またはＩＥＣ  Ｃ１９）とすることができる。特定の電源コンセントバンク１１５または本明細書に記載されている他のモジュールコンセント内のすべての「コンセント」が同一である必要はないか、またはＰＤＵに沿って均一に配向される必要はないことも理解されよう。「コンセント」は３極レセプタクルに限定されないこと、あるいは、「コンセント」のうちの１つまたは複数が相手側のオスコネクタ内に２極または４極以上として構成されうることも理解されよう。「コンセント」はメス極レセプタクルを有することに限定されないことも理解されよう。いずれの「コンセント」でも、条件または必要性が示すように、「極レセプタクル」のうちの１つまたは複数がメスの代わりにオスの接続要素とすることができる。一般に、本明細書に用いられるように、メス「極レセプタクル」およびオス「極レセプタクル」は「電力接続要素」と称される。この実施形態のコンセントバンク１１５は１０個のコンセントを含んでいるが、これは一例にすぎず、コンセントバンクは異なる数のコンセントを含んでいてもよいことが理解されよう。
【００２８】
[0028]電源コンセント２１０および２１５は、凹面２０５から様々な相対距離または絶対距離だけ延長してもよい。例えば、コンセント２１０および２１５の外向き面すなわち遠位面２２５が、凹面２０５から０．５インチ（１．３ｃｍ）、１インチ（２．５ｃｍ）、１．５インチ（３．８ｃｍ）または別の所定の絶対距離で延長または終端するように製造されうる。別の例として、コンセント２１０および２１５の外向き面すなわち遠位面２２５は、ＰＤＵハウジング１０５の前面２００の面に対して、凹面２０５から所定の相対距離で延長または終端するように製造されうる。コンセントの遠位面２２５の延長または終端の相対距離は、種々の実施形態によれば、前面２００の面の近傍かつ下に、前面２００の面の近傍かつ上に、前面２００と一致して、前面２００の面の実質的に下に、および前面２００の面の実質的に上に、を含むことができる。
【００２９】
[0029]特に図１を参照すると、コンセントモジュール用のＰＤＵハウジング１０５は、当業者に知られているような、かかるデバイス用の任意の適当なハウジングでよく、ＰＤＵ内に他のモジュールとともに組み付けられてもよい。この種のハウジングは一般に前部１３５および後部１４０を含む。前部１３５は実質的に平坦であり、後部１４０は、実質的に平坦でありかつ前部１３５と平行である。ハウジング１０５はさらに、縦方向に延びる側面部１４５および横端部１５０を含む。前部１３５、後部１４０、側面部１４５、および端部１５０は、ほぼ矩形もしくは箱形の構造で互いにほぼ直交する。ハウジング１０５は、任意の適当な、典型的には剛性の材料、例えば硬質ポリマー（「プラスチック」）材料などで作製することができる。少なくとも一部の実施形態では、前部および後部が電気絶縁材料で製作されるのに対して、他の実施形態では、導電性材料が安全なグラウンドボンディングに使用される。側面部および端部は、随意に前部または後部とともに一体的に形成されてもよい。各コンセント２１０〜２１５は、スペード、ラグ、プラグコネクタ、ねじコネクタ、または他の適切なタイプのコネクタなど、いくつかの周知の接続スキームのいずれかを介して電源に相互接続される。さらに、所望であれば、これらの電気コネクタのうちの１つまたは複数は、電源コンセントモジュールがハウジングを含んでいる実施形態において、ハウジングの内側またはハウジングの外側に配置することができる。
【００３０】
[0030]いくつかの実施形態では、ハウジング１０５の開口は、各開口の少なくとも一部の周囲にリップ２２０を含む。リップ２２０は凹面２０５の一部の上に延び、コンセントに結合されうるプラグのアームから延びるプラグ保持タブと係合してもよい。このようにして、プラグはＰＤＵ１００に保持可能に係合（またはロック）されてもよく、関連機器の不注意な切離しが回避されうる。図３は、電源コードをコンセントバンク１１５内にロックするために使用されうるプラグ３００を示す。プラグ３００は、プラグ本体３０５とプラグ本体３０５から延びるフレキシブルコード３１０とを含む。アーム３１５がプラグ本体３０５の両側面から延び、各アーム３１５は、プラグ３０５がコンセントバンク１１５内に挿入されたときにリップ２２０と係合することになるプラグ保持タブ３２０を含む。プラグ３００を抜くことが所望されると、ユーザは、アーム３１５をプラグ本体３０５の方へ押しつぶしプラグ３００を除去してもよい。図４は、プラグ３００がコンセント２１５に結合された状態のコンセントバンク１１５を示す。この実施形態では、プラグ３２５は同様のアームおよび保持タブを備えており、コンセント２１０に結合されている。この特定の例では、より明瞭に説明するために、Ｃ１３コンセントのコードはこの説明図に含まれておらず、Ｃ１９コンセントのコードは部分的に示されている。
【００３１】
[0031]上述のように、ＰＤＵは、多くの異なる配置構成および多数のコンセントを有していてもよい。図５は、コンセントバンク５００のコンセントの例示的な代替配置構成を示す。この特定の例では、８個のＣ１３コンセント５０５が４個のＣ１９コンセント５１０とともに設けられる。このような配置構成は、従来のＰＤＵと比べて比較的高密度の電源コンセントを備えていてもよく、それによって、例えば、比較的多数のコンピューティング機器構成要素が機器ラック内に存在しうる多くの用途で効率および空間使用率を高めることが可能になる。
【００３２】
[0032]図６に示されているようないくつかの実施形態では、コンセントバンク６００は凹面６０５を含んでいてもよく、ある長さのフレキシブル絶縁コード６１５に結合された複数の電源コンセント６１０が凹面６０５から延びていてもよい。図６の実施形態では、コンセント６１０は、ハウジング１０５の関連開口６０７を貫通して延び、ＰＤＵハウジング１０５に対してある程度動かせる接続部を提供しうる。したがって、ユーザには、かかるＰＤＵのコンセントバンク６００に接続する際の追加の自由度を提供されうる。フレキシブルコード６１５は凹面６０５を貫通し、ハウジング１０５の内部にある電源に結合される。この種の実施形態でのハウジング１０５の内側部分は、コンセント６１０がハウジング１０５の前面から離れる方向に延長可能となり、ハウジング１０５の前面の方へ引込み可能となるように、フレキシブルコード６１５の一部を受容する空洞を含んでいてもよい。いくつかの実施形態では、ユーザは単純に、コードをハウジング１０５の中に押し込んでコードを引っ込めるか、またはコードをハウジング１０５から離れる方向に引っ張ってコードを延長してもよい。余分のコードが、単純にコードが空洞内で束になるのを許容することにより、ハウジング１０５の空洞内に格納されてもよく、あるいはスプールやシリンダなどの引込／延長機構が、コードを受容しうる空洞内に設けられてもよい。上述したのと同様に、ＰＤＵは多くの異なる配置構成および多数のコンセントを有していてもよく、図６は、かかるコンセントバンク６００におけるコンセントの多くの異なる利用可能な配置構成のうちの１つを示す。このような配置構成は、従来のＰＤＵと比べて比較的高密度の電源コンセントを備えていてもよく、それによって、例えば、比較的多数のコンピューティング機器構成要素が機器ラック内に存在しうる多くの用途で効率および空間使用率を高めることが可能になる。いくつかの実施形態では、本明細書に記述されているようなコンセントコアを含むＰＤＵは、各コンセントに必要な面積の大幅な縮小をもたらし、いくつかの実施形態は、Ｃ１３コンセントに必要な面積の約４０％の縮小、およびＣ１９コンセントに必要な面積の約３０％の縮小をもたらしうる。
【００３３】
[0033]次に図７〜図９を参照すると、他の様々な実施形態によるＰＤＵ７００が示されている。ＰＤＵ７００は、ＰＤＵハウジング７０５、およびハウジング７０５を貫通する電力入力部７１０を含み、外部電源に接続されうる。この実施形態の電力入力部７１０は定位置の電力入力部であるが、図１に示されているようなスイベル入力コードアセンブリが種々の実施形態に従って使用されてもよい。この実施形態によるＰＤＵ７００は、機器ラック内に垂直方向に取付け可能なハウジング７０５を含むが、水平方向に取付け可能なハウジングなどの他の形状因子が使用されうることが理解されよう。複数のコンセントバンク７１５がハウジング７０５に結合され、ハウジング７０５から離れる方向に延びる複数の回転式コンセント７３５を含む。コンセントバンク７１５は図８および図９にさらに詳細に示されている。図７のＰＤＵ７００は、１つまたは複数の関連コンセントバンク７１５を過電流保護する複数の回路遮断器７２０を含む。ＰＤＵ７００は、ローカルコンピュータ、ローカルコンピュータネットワーク、および／またはリモートコンピュータネットワークのうちの１つまたは複数と結合可能でありうる通信モジュール７２５も含む。ディスプレイ部７３０が、入力部および／またはコンセントのうちの１つまたは複数を通じて供給されている電流量などの、ＰＤＵ７００の電流運転パラメータに関連する情報のローカルディスプレイを提供するために使用されうる。
【００３４】
[0034]次に図８および図９を参照して、一実施形態のコンセントバンク７１５についてより詳細に論じる。この実施形態では、コンセントバンク７１５は、コンセント筺体ハウジング７４０およびコンセント筺体ハウジング７４０内のコンセント軸ハウジング７４５に結合された複数の回転式コンセント７３５を含む。コンセント軸ハウジング７４５は、各コンセント７３５に結合されたコードを受容し、ＰＤＵハウジング７０５の縦軸線７５０を中心にしてまたは縦軸線７５０に対してコンセント７３５の回転を可能にする。各コンセント７３５はコンセント軸ハウジング７４５に固定され、コンセント軸ハウジング７４５はコンセント筺体ハウジング７４０に対して回転しうる。いくつかの実施形態では、コンセント軸ハウジング７４５は、各コンセント７３５からのコードの一部を受容する空洞を含んでいて、コンセント軸ハウジング７４５に対してコンセント７３５を延長したり引っ込めたりする能力を与える。コンセント軸ハウジング７４５からのコードの出口箇所は、その出口箇所がコンセント軸ハウジング７４５内の導体ならびにその導体とハウジング７０５内の電源接続部との間の関連接続部の動きを制限するか、減らすか、または最小限に抑えるように方向付けられてもよい。さらに、コンセント軸ハウジング７４５はコードの張力を緩和してもよい。いくつかの実施形態では、回転式コンセント７３５はそれぞれ、２０１２年７月２６日に出願された「電力分配ユニット用の多位置入力コードアセンブリ（Ｍｕｌｔｉ−Ｐｏｓｉｔｉｏｎ  Ｉｎｐｕｔ  Ｃｏｒｄ  Ａｓｓｅｍｂｌｙ  ｆｏｒ  ａ  Ｐｏｗｅｒ  Ｄｉｓｔｒｉｂｕｔｉｏｎ  Ｕｎｉｔ）」という名称の同時係属の米国特許出願第６１／６７５，９２１号明細書に記載されている回転式アセンブリと同様の態様でＰＤＵハウジング７０５に結合され、その開示の全体が参照により本明細書に組み込まれる。
【００３５】
[0035]図７〜図９の実施形態では、コンセント７３５がＩＥＣタイプのコンセントとして示されているが、他の様々なタイプのコンセントのいずれも代替的に使用されうることが容易に理解されよう。例えば、「コンセント」は、ＮＥＭＡタイプのコンセント（例えば、ＮＥＭＡ  ５−１５Ｒ、ＮＥＭＡ  ６−２０Ｒ、ＮＥＭＡ  ６−３０ＲまたはＮＥＭＡ  ６−５０Ｒ）あるいは種々のＩＥＣタイプのいずれか（例えば、ＩＥＣ  Ｃ１３またはＩＥＣ  Ｃ１９）とすることができる。特定の電源コンセントバンク７１５または本明細書に記載されている他のモジュールコンセント内のすべての「コンセント」が同一である必要はないかまたはＰＤＵに沿って均一に配向される必要はないことも理解されよう。
【００３６】
[0036]本明細書に記載されている実施形態は、コンセントコアの周囲に外装を含むコンセントを有する従来のＰＤＵに対するいくつかの利点を提供する。典型的には例えばＣ１３レセプタクルまたはＣ１９レセプタクルに含まれる外装を除去することにより、電源レセプタクルのコア要素が残り、レセプタクルの可能な間隔を縮小することができ、したがってレセプタクル密度を増大するかまたは最大にすることができる。そのようなコアレセプタクルは、種々の実施形態に従って、ＰＣＢもしくは金属薄板上に取り付けられるか、またはマルチレセプタクル（連動）モジュールに成形されて、かかるＰＤＵの構成および製造の自由度を提供することができる。さらに、コアレセプタクルは、密度をさらに増大するために、任意の向きに１列または２列で取り付けることができる。さらに、このようなＰＤＵコンセント密度の増大により、業界標準電源コードを支持するとともに、電源コードに対するオプションのロッキングも可能にしながら、ＰＤＵの体積を縮小することができる。コンセントが凹面か回転式接続部のどちらかを通ってＰＤＵハウジングから離れる方向に延びる実施形態では、追加の自由度および汎用性がＰＤＵのユーザに提供される。というのは、例えば、コンセントは、ＰＤＵの長手方向に沿って均一の間隔で配置することができ、このことは、機器ラック内に配置された機器への相互接続電源コードがその場合同じ長さとすることができるという点で望ましいからである。
【００３７】
[0037]種々の実施形態による、本明細書に記述されているようなＰＤＵは、従来のＰＤＵに勝るいくつかの利点を提供する。例えば、高密度コンセントＰＤＵが、ＰＤＵ顧客またはＰＤＵユーザの最大値または増値に相当する、単位体積当たり最大可能数のコンセントを収容しうる。高密度コンセントＰＤＵは業界標準の電源コードを扱ってもよく、したがって運用されるときに発生する追加コストを必要としない。高密度コンセントＰＤＵは、従来のコンセントＰＤＵより小さい体積を有していてもよく、したがってより多様な市販の機器ラック内に設置することができる。高密度コンセントＰＤＵにより気密筺体の構造が可能になり、その場合、気密筺体は強制空気または他の流体を使用して能動的に冷却することができる。高密度コンセントＰＤＵは、従来のコンセントで容易には達成されないモジュール式の高度に可変の組立方法を可能にする。様々な利点のこのリストは網羅的または排他的なものではなく、当業者によって認識されるように、多くの異なる利点および効率が達成されうることを留意されたい。
【００３８】
[0038]上述したシステムおよびデバイスは単に例を挙げるためのものであることに留意すべきである。種々の実施形態は、必要に応じて種々の手順または構成要素を省略、置換、または追加してもよいことを強調しておく。例えば、代替実施形態では、ある実施形態に関して記述される特徴は他の種々の実施形態で組み合わされてもよいことが理解されるべきである。諸実施形態の異なる態様および要素は同様の方法で組み合わされてもよい。さらに、技術が進展すること、したがって要素の多くが本質的に例示的なものであり、本発明の範囲を限定すると解釈されるべきでないことは強調されなければならない。
【００３９】
[0039]特定の詳細は、諸実施形態を十分に理解することができるように本明細書に与えられる。しかしながら、諸実施形態はこれらの特定の詳細を用いずに実施されうることが当業者によって理解されるであろう。例えば、周知の回路、構造、および技術は、諸実施形態を不明瞭にするのを回避するために、不必要な詳細なしに示されている。
【００４０】
[0040]いくつかの実施形態について説明してきたので、様々な修正形態、代替構造、および均等物が本発明の精神から逸脱することなく使用されうることが当業者によって認識されるであろう。例えば、上記の要素は、単により大きなシステムの構成要素でもよく、他のルールが、本発明の適用に優先するかまたはその他の方法で本発明の適用を変更しうる。さらに、いくつかのステップが、上記の要素が考慮される前、間、または後になされてもよい。したがって、上記説明は、本発明の範囲を限定するものと見なされるべきでない。
［発明の項目］
［項目１］
電力分配ユニットであって、
少なくとも１つの開口を有する前面を備えるハウジングと、
前記ハウジングに結合された、外部電源に接続可能な電力入力部と、
前記ハウジング内に少なくとも部分的に配置された少なくとも１つのコンセントバンクであり、前記少なくとも１つのコンセントバンクの凹面に結合された複数の電源コンセントを備え、前記凹面が、前記ハウジングの内側部分に前記前面よりも内方に配置され、前記少なくとも１つの開口を通じてアクセス可能であり、前記複数の電源コンセントのそれぞれが前記凹面から離れる方向に延びる、少なくとも１つのコンセントバンクと、
を備える電力分配ユニット。
［項目２］
前記ハウジングが、前記少なくとも１つの開口の少なくとも一部の周囲にて前記凹面の一部の上に延びるリップをさらに備え、前記リップが、前記複数の電源コンセントのうちの１つまたは複数と結合可能であるプラグのアームから延びるプラグ保持タブと係合するようになっている、項目１に記載の電力分配ユニット。
［項目３］
前記凹面が、前記ハウジングの内部を実質的に気密にすべく密封する、前記電源コンセントを取り付けるためのトレイを形成する、項目１に記載の電力分配ユニット。
［項目４］
前記ハウジングの前記内部が、電力測定構成要素および電力分配構成要素を含む、項目３に記載の電力分配ユニット。
［項目５］
前記複数の電源コンセントのそれぞれが、前記凹面と前記電力分配ユニットの前記前面の平面との間の距離の一部に延び、前記複数の電源コンセントのそれぞれの上面が、前記電力分配ユニットの前記前面の平面のすぐ近くでかつ下方で終端する、項目１に記載の電力分配ユニット。
［項目６］
前記複数の電源コンセントのそれぞれが、関連外装または取付けフランジなしのコンセントコアを含む、項目１に記載の電力分配ユニット。
［項目７］
前記複数の電源コンセントのそれぞれが、前記電力分配ユニットの前記ハウジング内のプリント回路板を介して電源に電気的に結合される、項目１に記載の電力分配ユニット。
［項目８］
前記複数の電源コンセントのうちの１つまたは複数が、フレキシブルコードに結合され、前記電力分配ユニットの前面から離れる方向に延びる、項目１に記載の電力分配ユニット。
［項目９］
前記１つまたは複数の電源コンセントに結合された前記フレキシブルコードが、前記凹面を貫通し、前記ハウジングの内側にある電源に結合される、項目８に記載の電力分配ユニット。
［項目１０］
前記ハウジングの前記内側が、前記フレキシブルコードの一部を受容する空洞を備え、前記１つまたは複数の電源コンセントが、前記ハウジングの前記前面から離れる方向に延長可能であり、前記ハウジングの前記前面の方へ引込み可能である、項目９に記載の電力分配ユニット。
［項目１１］
電力分配ユニットであって、
複数の開口を有する前面を備える電力分配ユニット（ＰＤＵ）ハウジングと、
前記ＰＤＵハウジングに結合された、外部電源に接続可能な電力入力部と、
前記ＰＤＵハウジング内に少なくとも部分的に配置された複数のコンセントバンクであり、前記コンセントバンクのそれぞれが、コンセント軸ハウジングまたは他の回転式装置を介して前記ＰＤＵハウジングに回転可能に結合された複数の電源コンセントを備える、複数のコンセントバンクと、
を備える電力分配ユニット。
［項目１２］
前記コンセントバンクのそれぞれが、コンセント筺体ハウジングをさらに備え、前記コンセント筺体ハウジングは、前記回転式ハウジングに結合され前記コンセントハウジングを前記ＰＤＵハウジングに固定する、項目１１に記載の電力分配ユニット。
［項目１３］
前記コンセント軸ハウジングが、各電源コンセントに結合されたコードを受容し、前記ＰＤＵハウジングに対する前記電源コンセントの回転を可能にする、項目１１に記載の電力分配ユニット。
［項目１４］
前記コンセント軸ハウジングが、前記コードの一部を受容する空洞を備え、１つまたは複数の前記電源コンセントが、前記コンセント軸ハウジングから離れる方向に延長可能であり、前記コンセント軸ハウジングの方へ引込み可能である、項目１２に記載の電力分配ユニット。
［項目１５］
前記コンセント軸ハウジングからの前記コードの出口箇所は、前記出口箇所が前記コンセント軸ハウジング内の導体の動きを最小限に抑えるように方向付けられる、項目１４に記載の電力分配ユニット。
［項目１６］
前記コンセント軸ハウジングが前記コードの張力を緩和する、項目１４に記載の電力分配ユニット。
［項目１７］
電力分配ユニット用のコンセントモジュールであって、
１つまたは複数の入力電力接続部、および前記１つまたは複数の入力電力接続部のうちの少なくとも１つに結合された複数の出力電力接続部を備えるプリント回路板と、
前記プリント回路板に取り付けられた複数のコンセントコアであり、前記複数のコンセントコアのそれぞれが、前記出力電力接続部のうちの１つまたは複数に結合され、前記複数のコンセントコアの少なくとも１つのサブセットが、関連外装または取付けフランジなしのコンセントコアを備える、複数のコンセントコアと、
を備えるコンセントモジュール。
［項目１８］
前記プリント回路板が、電力分配ユニット用のハウジングの内部を実質的に気密にすべく密封するように構成された、前記コンセントを取り付けるためのトレイを形成する、項目１７に記載のコンセントモジュール。
［項目１９］
前記ハウジングの前記内部が、電力測定構成要素および電力分配構成要素を含む、項目１８に記載のコンセントモジュール。
［項目２０］
前記複数のコンセントコアのそれぞれが、前記プリント回路板の表面から離れる方向に延びる、項目１７に記載のコンセントモジュール。
［項目２１］
前記コンセントコアのサブセットの各コンセントコアに関連する前記プリント回路板の表面積が、関連外装または取付けフランジを有するコンセントコアに関連する表面積よりも少なくとも２０パーセント小さい、項目１７に記載のコンセントモジュール。
［項目２２］
電力分配ユニット用のコンセントモジュールであって、
電力分配ユニット内に取付け可能な円筒状のコンセント筺体ハウジングと、
前記コンセント筺体ハウジング内に回転可能に取り付けられたコンセント軸ハウジングであり、１つまたは複数の入力電力接続部、および前記１つまたは複数の入力電力接続部のうちの少なくとも１つに結合された複数の出力電力接続部を備えるコンセント軸ハウジングと、
前記出力電力接続部のうちの１つまたは複数にそれぞれ結合された電源コードを介して前記コンセント軸ハウジングに結合された複数のコンセントであり、前記複数のコンセントのそれぞれが前記コンセント筺体ハウジングに対して回転可能である、複数のコンセントと、
を備えるコンセントモジュール。
［項目２３］
前記コンセント軸ハウジングが、各コンセントからの前記電源コードの一部を受容する空洞をさらに備える、項目２２に記載のコンセントモジュール。
［項目２４］
各コンセントの前記電源コードの一部が、前記コンセントが前記コンセント軸ハウジング内に引き込まれるときに前記空洞内に挿入され、前記コンセントが前記コンセント軸ハウジングから延長されるときに前記空洞から引き出されうる、項目２３に記載のコンセントモジュール。
［項目２５］
前記コンセント軸ハウジングが前記複数のコンセントの前記電源コードの張力を緩和する、項目２２に記載のコンセントモジュール。
［項目２６］
各コンセントが、前記コンセント筺体ハウジングに対して独立して回転可能である、項目２２に記載のコンセントモジュール。
【図１】
0006440216.tif 000002
【図２】
0006440216.tif 000003
【図３】
0006440216.tif 000004
【図４】
0006440216.tif 000005
【図５】
0006440216.tif 000006
【図６】
0006440216.tif 000007
【図７】
0006440216.tif 000008
【図８】
0006440216.tif 000009
【図９】
0006440216.tif 000010